Podtech/llm-jp-corpus-v4-ja_patent huggingface dataset:
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
左，右の側板と、前記左，右の側板の上端に接合された上板と、前記左，右の側板の下端に接合された下板と、前記左，右の側板の後端と前記上板の後端とに接合された後板と、前記左，右の側板の後部下側、前記下板の後端および前記後板の前端に接合されたブーム連結ボスと、前記左，右の側板、前記上板および前記下板の前端に接合されたバケット連結ボスと、前記バケット連結ボスの後側に位置して前記左，右の側板に接合されたバケットリンク連結ボスと、前記上板の後側に接合されたバケットシリンダブラケットと、前記後板に接合されたアームシリンダブラケットとを備えてなる建設機械用アームにおいて、
前記左，右の側板は、前記ブーム連結ボスが接合される後側板と、前記バケット連結ボスおよび前記バケットリンク連結ボスが接合される前側板と、前記後側板の前端と前記前側板の後端とに対してそれぞれ完全溶接によって接合される中間側板とにより構成されており、
前記上板は、前記バケットシリンダブラケットが接合される後上板と、前記バケット連結ボスが接合される前上板と、前記後上板の前端と前記前上板の後端とに対してそれぞれ完全溶接によって接合される中間上板とにより構成されており、
前記下板は、前記ブーム連結ボスが接合される後下板と、前記バケット連結ボスが接合される前下板と、前記後下板の前端と前記前下板の後端とに対してそれぞれ完全溶接によって接合される中間下板とにより構成されており、
前記左，右の側板を構成する前記後側板と前記前側板、前記上板を構成する前記後上板と前記前上板、前記下板を構成する前記後下板と前記前下板は、それぞれ厚板材を用いて形成されており、
前記左，右の側板を構成する前記中間側板、前記上板を構成する前記中間上板、前記下板を構成する前記中間下板は、それぞれ前記厚板材よりも板厚が薄い薄板材を用いて形成されたことを特徴とする建設機械用アーム。
【請求項２】
前記左，右の側板を構成する前記前側板、前記上板を構成する前記前上板、前記下板を構成する前記前下板は、それぞれ一般構造用鋼材を用いて形成されており、
前記左，右の側板を構成する前記後側板および前記中間側板、前記上板を構成する前記後上板および前記中間上板、前記下板を構成する前記後下板および前記中間下板は、それぞれ高張力鋼材を用いて形成されたことを特徴とする請求項１に記載の建設機械用アーム。
【請求項３】
前記バケット連結ボスと前記左，右の側板を構成する前記前側板との間は、裏当て材を用いた裏当て溶接により接合されると共に、前記バケットリンク連結ボスと前記左，右の側板を構成する前記前側板との間は、裏当て材を用いた裏当て溶接により接合されていることを特徴とする請求項１または２に記載の建設機械用アーム。
【請求項４】
左，右の側板と、前記左，右の側板の上端に接合された上板と、前記左，右の側板の下端に接合された下板と、前記左，右の側板の後端と前記上板の後端とに接合された後板と、前記左，右の側板の後部下側、前記下板の後端および前記後板の前端に接合されたブーム連結ボスと、前記左，右の側板、前記上板および前記下板の前端に接合されたバケット連結ボスと、前記バケット連結ボスの後側に位置して前記左，右の側板に接合されたバケットリンク連結ボスと、前記上板の後側に接合されたバケットシリンダブラケットと、前記後板に接合されたアームシリンダブラケットとを備え、
前記左，右の側板は、前記ブーム連結ボスが接合される後側板と、前記バケット連結ボスおよび前記バケットリンク連結ボスが接合される前側板と、前記後側板の前端と前記前側板の後端とに対してそれぞれ完全溶接によって接合される中間側板とにより構成し、
前記上板は、前記バケットシリンダブラケットが接合される後上板と、前記バケット連結ボスが接合される前上板と、前記後上板の前端と前記前上板の後端とに対してそれぞれ完全溶接によって接合される中間上板とにより構成し、
前記下板は、前記ブーム連結ボスが接合される後下板と、前記バケット連結ボスが接合される前下板と、前記後下板の前端と前記前下板の後端とに対してそれぞれ完全溶接によって接合される中間下板とにより構成してなる建設機械用アームに用いるバケット連結ボスの交換方法において、
前記左，右の前側板と、前記前上板と、前記前下板とを前記バケット連結ボスと前記バケットリンク連結ボスとの間で切断し、前記左，右の前側板、前記前上板および前記前下板から前記バケット連結ボスを切離す切離し工程と、
交換用の新たなバケット連結ボスに対し、前記左，右の前側板に突合わされる左，右の側板フランジと、前記前上板に突合わされる上板フランジと、前記前下板に突合わされる下板フランジとをそれぞれ接合し、バケット連結ボス組立体を成形する組立体成形工程と、
前記切離し工程で切断された前記左，右の前側板の前端と前記バケット連結ボス組立体の前記側板フランジとの間、前記切離し工程で切断された前記前上板の前端と前記バケット連結ボス組立体の前記上板フランジとの間、前記切離し工程で切断された前記前下板の前端と前記バケット連結ボス組立体の前記下板フランジとの間を、裏当て材を用いた裏当て溶接によってそれぞれ接合するバケット連結ボス接合工程とを含んでなる建設機械用アームに用いるバケット連結ボスの交換方法。
【手続補正２】
【補正対象書類名】明細書
【補正対象項目名】００１１
【補正方法】変更
【補正の内容】
【００１１】
本発明の特徴は、前記左，右の側板は、前記ブーム連結ボスが接合される後側板と、前記バケット連結ボスおよび前記バケットリンク連結ボスが接合される前側板と、前記後側板の前端と前記前側板の後端とに対してそれぞれ完全溶接によって接合される中間側板とにより構成されており、前記上板は、前記バケットシリンダブラケットが接合される後上板と、前記バケット連結ボスが接合される前上板と、前記後上板の前端と前記前上板の後端とに対してそれぞれ完全溶接によって接合される中間上板とにより構成されており、前記下板は、前記ブーム連結ボスが接合される後下板と、前記バケット連結ボスが接合される前下板と、前記後下板の前端と前記前下板の後端とに対してそれぞれ完全溶接によって接合される中間下板とにより構成されており、前記左，右の側板を構成する前記後側板と前記前側板、前記上板を構成する前記後上板と前記前上板、前記下板を構成する前記後下板と前記前下板は、それぞれ厚板材を用いて形成されており、前記左，右の側板を構成する前記中間側板、前記上板を構成する前記中間上板、前記下板を構成する前記中間下板は、それぞれ前記厚板材よりも板厚が薄い薄板材を用いて形成されたことにある。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
斜面からの落下物を防護すべく、斜面幅方向に間隔を開けて立設される複数の支柱と、これらの複数の支柱によって斜面幅方向に支持される落下物の防護体と、を有する落下物防護装置の吊り足場であって、
前記各支柱の上部から吊り下げられる足場支持材と、この足場支持材によって支持され、斜面幅方向に延設される足場材と、を有することを特徴とする落下物防護装置の吊り足場。
【請求項２】
前記支柱は、谷側方向に傾斜して設けられ、かつ、前記落下物の防護体は、前記支柱の上部に支持されることを特徴とする請求項１に記載の落下物防護装置の吊り足場。
【請求項３】
前記支柱と前記足場支持材とのなす角度を所望の角度に設定するための角度設定部材をさらに有することを特徴とする請求項１に記載の落下物防護装置の吊り足場。
【請求項４】
前記角度設定部材は、前記支柱と前記足場支持材との間に介在して支持されると共に、前記支柱を支点にして前記足場支持材を支持することを特徴とする請求項３に記載の落下物防護装置の吊り足場。
【請求項５】
前記足場材には、吊り下げ前後において、その初期の形状を維持し得る剛性が確保されていることを特徴とする請求項１から３の何れかに記載の落下物防護装置の吊り足場。
【請求項６】
前記足場材、および前記足場支持材が、鋼製パイプで構成されていることを特徴とする請求項１から４の何れかに記載の落下物防護装置の吊り足場。
【請求項７】
前記足場支持材は、前記支柱に対して着脱自在に吊り下げられていることを特徴とする請求項１から５の何れかに記載の落下物防護装置の吊り足場。
【請求項８】
前記足場支持材に対して、その上下複数段に前記足場材が連結されていることを特徴とする請求項１から６の何れかに記載の落下物防護装置の吊り足場。
【請求項９】
斜面における吊り足場の設置方法であって、
斜面幅方向に間隔を開けて複数の支柱を立設すると共に、この斜面上に吊り足場を展開すべく前記斜面幅方向に足場材を延設し、さらに、前記支柱の上部より前記足場材を吊り下げてなる吊り足場の設置方法。
【請求項１０】
前記足場材と前記支柱の上部とを連結する足場支持材を前記支柱の立て込みに先立って支柱の上部に連結し、
さらに前記足場支持材を、前記支柱の立て込みに伴って支柱上部より吊り下げることを特徴とする請求項８に記載の吊り足場の設置方法。
【請求項１１】
斜面幅方向に間隔を開けて複数の支柱を有すると共に、この支柱によって斜面幅方向に落下物の防護体を展開支持する落下物防護装置を斜面に設置する際、前記足場材を吊り下げるための支柱として前記落下物防護装置用の支柱を用いることを特徴とする請求項８又は９に記載の吊り足場の設置方法。
【請求項１２】
前記足場材の位置を、前記支柱を支点にして設定変更することを特徴とする請求項８から１０の何れかに記載の吊り足場の設置方法。
【誤訳訂正書】
【提出日】平成29年5月15日(2017.5.15)
【誤訳訂正１】
【訂正対象書類名】特許請求の範囲
【訂正対象項目名】全文
【訂正方法】変更
【訂正の内容】
【特許請求の範囲】
【請求項１】
三相ブラシレス直流モータのためのコントローラであって、
直流電圧供給源の２つの極の間に接続され、各々が互いに接続され且つそれぞれ前記供給源の正極及び負極に接続された上部電子スイッチ及び下部電子スイッチを含む、３つの回路分岐を含み、前記モータの巻線又は相の各々がブリッジ回路の対応する分岐の２つのスイッチの間の中間点に接続されたフルブリッジ回路と、
各々が３つの駆動信号を含む複数の組のそれぞれによって、定常状態で、前記ブリッジ回路の前記上部スイッチ及び前記下部スイッチを駆動するように構成された電子制御ユニットであって、前記複数の組は約１８０電気角度だけ互いからオフセットされ、各組の３つの駆動信号は互いから約１２０電気角度だけオフセットされ、非アクティブすなわち遮断部分と交互するアクティブすなわち導電部分とを含んでいる、電子制御ユニットと、
を備え、
前記電子制御ユニットは、各駆動信号の各アクティブ部分がパルス・アクティブ化の初期間隔、連続アクティブ化の中間間隔及びパルス・アクティブ化の最終間隔を含むように構成され、連続アクティブ化の前記中間間隔は、パルス・アクティブ化の各間隔のものより大きい電気角度の期間を有し、
スイッチのパルス・アクティブ化の各初期間隔が以前に作動された前記スイッチのパルス・アクティブ化の前記最終間隔と少なくとも部分的に重なるように、アクティブすなわち導電部分が１２０より大きい電子角度にわたって延びる駆動信号により、定常状態で前記スイッチを駆動するよう構成され、
各駆動信号の各アクティブすなわち導電部分は、対応する逆起電力の直前のゼロクロス点に対して所定の遅延で始まる、
ことを特徴とするコントローラ。
【請求項２】
前記電子制御ユニットは、アクティブすなわち導電部分が少なくとも約１４０電気角度にわたって延びる駆動信号により、定常状態で前記スイッチを駆動するように構成されることを特徴とする、請求項１に記載のコントローラ。
【請求項３】
前記電子制御ユニットは、トルクリップルが減少されるように、アクティブすなわち導電部分が前記モータの前記速度及び／又は前記モータにより流される前記電流の関数として可変である駆動信号により、定常状態で前記スイッチを駆動するように設計されることを特徴とする、請求項１〜請求項２のいずれかに記載のコントローラ。
【請求項４】
前記電子制御ユニットは、漸増平均値で変調された時間幅を有するパルスによるパルス・アクティブ化の初期間隔と、漸減平均値で変調された時間幅）を有するパルスによるパルス・アクティブ化の最終間隔とを有する駆動信号により、定常状態で前記スイッチを駆動するように構成されることを特徴とする、請求項１〜請求項３のいずれかに記載のコントローラ。
【請求項５】
前記初期間隔及び前記最終間隔の前記パルスの前記幅又は期間は、前記トルクリップルが低減されるように、所定の時間プロファイルに応じて変化することを特徴とする、請求項４に記載のコントローラ。
【請求項６】
前記初期間隔及び前記最終間隔の前記パルスの前記幅又は期間は、前記モータの前記速度及び／又は前記モータにより流される前記電流の関数として可変であることを特徴とする、請求項５に記載のコントローラ。
【請求項７】
前記遅延は一定であることを特徴とする、請求項６に記載のコントローラ。
【請求項８】
前記遅延は、前記モータの前記回転速度及び／又は前記モータにより流される前記電流の関数として可変であることを特徴とする請求項６に記載のコントローラ。
【請求項９】
前記電子制御ユニットは、８ビット・マイクロコントローラにより形成されることを特徴とする、請求項１〜請求項８のいずれかに記載のコントローラ。
【誤訳訂正２】
【訂正対象書類名】明細書
【訂正対象項目名】００２２
【訂正方法】変更
【訂正の内容】
【００２２】
代替的に、モータＭの回転子の瞬間位置は、モータＭの巻線すなわち相Ｗ１、Ｗ２及びＷ３において生じた逆起電力の分析から、周知の方法で推定することができる。図２において、これらの逆起電力は、Ａ、Ｂ及びＣで示される。
特に、制御ユニットＥＣＵは、約１８０電気角度だけ互いからオフセットされたそれぞれの組により、定常状態で、ブリッジ回路１の上部スイッチＭ１、Ｍ２及びＭ３、並びに、下部スイッチＭ４、Ｍ５及びＭ６を駆動するように設計されており、各組には各々が互いから約１２０電気角度だけオフセットされた３つの駆動信号が含まれ、各駆動信号は非アクティブすなわち遮断部分と交互するアクティブすなわち導電部分とを含んでいる。
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
筒状のグラフトと、
前記グラフトの少なくとも一部分に配置され、１または複数の線材からなる少なくとも１つのステントと
を備え、
前記グラフトの厚みが、前記ステントにおける前記１または複数の線材のうちの少なくとも１つの線材の径よりも大きいと共に、
前記グラフトにおける外周面側の保液性が、前記グラフトにおける内周面側の保液性よりも大きい
ステントグラフト。
【請求項２】
前記グラフトが、前記ステントの少なくとも外周側を覆うように配置され、
前記少なくとも１つの線材におけるその径の半分以上の部分が、前記グラフトの内周面側に埋め込まれている
請求項１に記載のステントグラフト。
【請求項３】
前記ステントが、前記グラフトの軸方向に沿った一部の領域に配置されている
請求項１または請求項２に記載のステントグラフト。
【手続補正２】
【補正対象書類名】明細書
【補正対象項目名】０００９
【補正方法】変更
【補正の内容】
【０００９】
本発明のステントグラフトは、筒状のグラフトと、このグラフトの少なくとも一部分に配置され、１または複数の線材からなる少なくとも１つのステントとを備え、グラフトの厚みが、ステントにおける１または複数の線材のうちの少なくとも１つの線材の径よりも大きいと共に、グラフトにおける外周面側の保液性が、このグラフトにおける内周面側の保液性よりも大きいものである。
【手続補正３】
【補正対象書類名】明細書
【補正対象項目名】００１０
【補正方法】変更
【補正の内容】
【００１０】
本発明のステントグラフトでは、グラフトの厚みが、ステントにおける１または複数の線材のうちの少なくとも１つの線材の径よりも大きくなっている。これにより、例えば、ＯＳＧ法を利用した動脈解離等の治療の際に、グラフトが裂けるおそれが少なくなったり、グラフトからの漏血が抑えられたりする。また、グラフトにおける外周面側の保液性が、このグラフトにおける内周面側の保液性よりも大きくなっているため、グラフトと患者の血管や人工血管との間の吻合がし易くなるとともに、グラフトと血管の内周面との間の密着性が向上する。また、グラフトの内周面側に血栓が生じにくくなる。
【手続補正４】
【補正対象書類名】明細書
【補正対象項目名】００１２
【補正方法】削除
【補正の内容】
【手続補正書】
【提出日】平成28年12月28日(2016.12.28)
【手続補正１】
【補正対象書類名】明細書
【補正対象項目名】発明の名称
【補正方法】変更
【補正の内容】
【発明の名称】循環水流式空中アクアリウム装置および淡水海水併存型循環水流式空中アクアリウム装置
【手続補正２】
【補正対象書類名】特許請求の範囲
【補正対象項目名】全文
【補正方法】変更
【補正の内容】
【特許請求の範囲】
【請求項１】
水槽と、水路と、貯水室と、水流ポンプで構成され、
前記貯水室は、その上部に排気装置と給餌装置を搭載し、
前記水槽と前記貯水室と前記水流ポンプとを前記水路で連結した水槽水路システムが形成され、
はじめに、
前記排気装置によって、前記貯水室内部の空気を外部に排出し、
前記水槽に貯められた水を、前記水路に導き、更に前記貯水室に導き、
前記貯水室を水で満たし、静止した水で満たされた揚水式水槽水路システムが形成され、
次に、
前記水流ポンプによって、
水流を発生させ、前記水流ポンプから、前記水槽へ、前記水路へ、前記貯水室へ、と水が循環する循環水流式水槽水路システムが形成され、
次に、
前記給餌装置によって、
餌を大気圧の力で前記貯水室の中に注入し、前記餌が水流に乗って前記水路の中を流れる、
空中給餌式アクアリウムを実現する、ことを特徴とする循環水流式空中アクアリウム装置。
【請求項２】
前記排気装置は、
前記貯水室の上部に搭載され、固着された排気弁と、着脱可能な排気ポンプで構成される
ことを特徴とする請求項１の循環水流式空中アクアリウム装置。
【請求項３】
前記給餌装置は、
前記貯水室上部に搭載され、漏斗状容器と、止水コックで構成され、液状化された餌を前記漏斗状容器で受け止め、または、注がれた餌と水を前記漏斗状容器で受け止め混ぜ合わせ液状化し、大気圧の力と前記止水コックによって、連通する前記貯水室に送り込む液状化給餌装置である
ことを特徴とする請求項１の循環水流式空中アクアリウム装置。
【請求項４】
前記貯水室は、
その形状が、薄型ＴＶ形、ブリッジ形、ツインタワー形、シングルタワー形、ピラミッド形、本棚形、箱型、のいずれかであって、水槽の水面レベルよりは高く、１０メートルよりは低い位置に設けられる、
ことを特徴とする請求項１の循環水流式空中アクアリウム装置。
【請求項５】
前記水路は、
前記水槽間を繋ぐ排気弁付き水槽連携用水路であり、前記水路の両端部を前記２つの水槽に跨って水没させる、
ことを特徴とする請求項１の循環水流式空中アクアリウム装置。
【請求項６】
前記水槽の１つが、
苔を好んで食べる掃除屋と呼ばれる水棲動物を入れる掃除屋用水槽であり、
前記掃除屋用水槽はヒーターを備え、
前記掃除屋用水槽の水温は、飼育鑑賞水棲生物と掃除屋とが共存できる温度に設定され、水流によって全ての水槽と水路と貯水室に前記掃除屋用水槽の温水を循環させ、前記掃除屋が活動できる水温環境とすることで、発生する苔の除去掃除を前記掃除屋自身にやらせて自己清掃を実現する、
ことを特徴とする請求項１の循環水流式空中アクアリウム装置。
【請求項７】
前記水槽の１つが、
バッファプール水槽であり、前記バッファプール水槽は、その内部に設けられる基準水位水槽と、汲み上げポンプと、水槽連携用水路と、で形成される自動水位調節機構が構成され、
前記自動水位調節機構により、
揚水時には、前記水槽から前記貯水室に揚げる水の不足を補い、
通常運転時には、予期せぬ事故による水の氾濫を防止し、
落水時には、前記水槽からのオーバーフローによる水の氾濫を防止する自動水位調節機構を有する
ことを特徴とする請求項１の循環水流式空中アクアリウム装置。
【請求項８】
淡水で満たされる淡水魚用水槽と、水路と、貯水室と、水流ポンプで構成され、
前記貯水室は、その上部に排気装置と給餌装置を搭載し、
前記水路で前記淡水魚用水槽と前記貯水室とを連結して、
淡水魚用水槽水路ゾーンが形成され、
はじめに、
前記排気装置によって、
前記貯水室内部の空気を外部に排出し、前記淡水魚用水槽に貯められた水を、前記水路に導き、更に前記貯水室に導き、前記貯水室を水で満たし、静止した水で満たされた淡水魚用揚水式水槽水路ゾーンが形成され、
次に、
前記水流ポンプによって、
静止した水に動きを与え、水が循環する淡水魚用循環水流式水槽水路ゾーンが形成され、
次に、
前記給餌装置によって、
餌を大気圧の力で前記貯水室の中に注入し、循環させ、
水面より高い位置で水棲生物に餌を与える、循環水流式空中給餌アクアリウムが形成され、
同様に、
海水で満たされる海水魚用水槽と、水路と、貯水室と、水流ポンプで構成され、
前記貯水室は、その上部に排気装置と給餌装置を搭載し、
前記水路で前記海水魚用水槽と前記貯水室とを連結して、
海水魚用水槽水路ゾーンが形成され、
はじめに、
前記排気装置によって、
前記貯水室内部の空気を外部に排出し、前記海水魚用水槽に貯められた水を、前記水路に導き、更に前記貯水室に導き、前記貯水室を水で満たし、静止した水で満たされた海水魚用揚水式水槽水路ゾーンが形成され、
次に、
前記水流ポンプによって、
静止した水に動きを与えて、水が循環する海水魚用循環水流式水槽水路ゾーンが形成され、
前記給餌装置によって、
餌を大気圧の力で前記貯水室の中に注入し、循環させ、水面より高い位置で水棲生物に餌を与える、循環水流式空中給餌アクアリウムが形成され、
更に、
汽水魚用水槽と、水路と、貯水室と、で構成され、
前記淡水魚用水槽と前記海水魚用水槽とを前記汽水魚用水槽を介して、前記水路で連結し、
前記淡水魚用循環水流式水槽水路ゾーンからの淡水と、前記海水魚用循環水流式水槽水路ゾーンからの海水と、が出会い混ざりあう、汽水魚用水槽水路ゾーンが形成され、
淡水魚と海水魚と汽水魚が、前記汽水魚用水槽水路ゾーンを介して、前記淡水魚用水槽水路ゾーンと前記海水魚用水槽水路ゾーンの間を行き来する、淡水海水連接環境での飼育鑑賞を実現する、
ことを特徴とする淡水海水併存型循環水流式空中アクアリウム装置。
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
ロッククライミングで用いられるクライミング・ホールドであって、
導電性膜を有するクライミング・ホールド・ボディーであって、クライミング・ホールドが登攀されるとき、前記導電性膜と人体の静電気容量とが結びついて静電容量に変化が生じるクライミング・ホールド・ボディーと、
前記導電性膜と電気的に接続されるクライミング・ホールド制御回路基板と、
を備え、
ハウジングケースが前記クライミング・ホールド・ボディーの内部に配置され、
前記導電性膜は、前記クライミング・ホールド・ボディーと前記ハウジングケースと間に配置され、
クライミング・ホールドは、導電性膜保護ハウジングケースを更に備え、
前記導電性膜保護ハウジングケースは、前記導電性膜の外部側の周囲にスリーブ状に配置され、
前記導電性膜保護ハウジングケースは、前記クライミング・ホールド・ボディーと前記導電性膜との間に配置されている、
ロッククライミングで用いられるクライミング・ホールド。
【請求項２】
少なくとも一つの発光ダイオード（ＬＥＤ）が前記クライミング・ホールド・ボディーの内部に配置され、
前記ＬＥＤは、前記クライミング・ホールド制御回路基板と電気的に接続されている、
請求項１に記載のロッククライミングで用いられるクライミング・ホールド。
【請求項３】
複数の前記ＬＥＤを備え、
複数の前記ＬＥＤは、フルカラーＬＥＤ及び白色ＬＥＤを含む、
請求項２に記載のロッククライミングで用いられるクライミング・ホールド。
【請求項４】
前記クライミング・ホールド制御回路基板は、クライミング・ホールドの内部であって、クライミング・ウォールの前方に配置される、
請求項１に記載のロッククライミングで用いられるクライミング・ホールド。
【請求項５】
前記導電性膜は、前記導電性膜保護ハウジングケースと前記ハウジングケースとの間に密着させて取り付けられ、これにより前記導電性膜の形状が固定され、
前記導電性膜保護ハウジングケースは、前記ハウジングケース及び前記導電性膜を覆うカバーの態様であり、
前記導電性膜保護ハウジングケースは、第１ネジによって前記ハウジングケースに固定される、
請求項４に記載のロッククライミングで用いられるクライミング・ホールド。
【請求項６】
電源を供給する通信インタフェースが前記クライミング・ホールド制御回路基板に設置され、
前記電源を供給する通信インタフェースは、ＲＪ１１又はＲＪ４５のインタフェースである、
請求項１に記載のロッククライミングで用いられるクライミング・ホールド。
【請求項７】
クライミング・ホールド・マイクロコントローラ・ユニット（ＭＣＵ）が前記クライミング・ホールド制御回路基板に設置され、
前記クライミング・ホールドＭＣＵは、前記導電性膜と電気的に接続されている、
請求項１に記載のロッククライミングで用いられるクライミング・ホールド。
【請求項８】
前記クライミング・ホールド制御回路基板は、クライミング・ウォールの背部に配置され、
前記導電性膜は、第２ネジ及び平坦ガスケットによって前記クライミング・ホールド制御回路基板に接続される、
請求項１に記載のロッククライミングで用いられるクライミング・ホールド。
【請求項９】
無線送受信モジュールが前記クライミング・ホールド制御回路基板に設置されている、
請求項１に記載のロッククライミングで用いられるクライミング・ホールド。
【請求項１０】
ロッククライミング・ルートを設定するために、レーザーペンから放出されるレーザーを受光するための光感知器を更に備え、
前記光感知器は、前記クライミング・ホールド制御回路基板と電気的に接続されている、
請求項１に記載のロッククライミングで用いられるクライミング・ホールド。
【請求項１１】
圧力感知器を更に備え、
前記圧力感知器は、前記クライミング・ホールド制御回路基板と電気的に接続されている、
請求項１に記載のロッククライミングで用いられるクライミング・ホールド。
【請求項１２】
クライミング・システムであって、
クライミング・ウォールと、
メイン制御ユニットと、
制御端末と、
複数のクライミング・ホールドと、
を備え、
それぞれの前記クライミング・ホールドは、導電性膜を有するクライミング・ホールド・ボディーであって、前記クライミング・ホールドが登攀されるとき、前記導電性膜と人体の静電気容量とが結びついて、静電容量に変化が生じるクライミング・ホールド・ボディーと、前記導電性膜と電気的に接続されるクライミング・ホールド制御回路基板と、を有し、
前記クライミング・ホールドは、前記クライミング・ウォールに配置され、
前記メイン制御ユニットは、メイン制御回路基板を有し、
前記メイン制御回路基板には、メイン・マイクロコントローラ・ユニット（ＭＣＵ）が配置され、
前記クライミング・ホールドの前記クライミング・ホールド制御回路基板は、前記メイン制御回路基板と電気的に接続され、
前記制御端末は、前記メイン制御回路基板と電気的に接続されており、
ハウジングケースが前記クライミング・ホールド・ボディーの内部に配置され、
前記導電性膜は、前記クライミング・ホールド・ボディーと前記ハウジングケースと間に配置され、
前記クライミング・ホールドは、導電性膜保護ハウジングケースを更に備え、
前記導電性膜保護ハウジングケースは、前記導電性膜の外部側の周囲にスリーブ状に配置され、
前記導電性膜保護ハウジングケースは、前記クライミング・ホールド・ボディーと前記導電性膜との間に配置されている、
ことを特徴とする、クライミング・システム。
【請求項１３】
前記制御端末は、コンピュータ端末又はインテリジェント端末である、
請求項１２に記載のロッククライミング・システム。
【請求項１４】
前記メイン制御ユニットは、無線通信モジュールを有し、
前記メイン制御ユニットは、前記無線通信モジュールを通して前記制御端末と接続されている、
請求項１２に記載のロッククライミング・システム。
【請求項１５】
前記メイン制御ユニットは、インテリジェント端末との通信のための近距離無線通信モジュールを有する、
請求項１２に記載のロッククライミング・システム。
【請求項１６】
前記クライミング・ホールドは、複数のＬＥＤを有し、
前記複数のＬＥＤは、フルカラーＬＥＤ及び白色ＬＥＤを含む、
請求項１２に記載のロッククライミング・システム。
【請求項１７】
前記クライミング・ホールドは、ロッククライミング・ルートを設定するために、レーザーペンから放出されるレーザーを受光するための光感知器を更に有し、
前記光感知器は、前記クライミング・ホールド制御回路基板と電気的に接続されている、
請求項１２に記載のロッククライミング・システム。
【請求項１８】
前記クライミング・ホールドは、圧力感知器を更に有し、
前記圧力感知器は、前記クライミング・ホールド制御回路基板と電気的に接続されている、
請求項１２に記載のロッククライミング・システム。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
プロセッサによって実行可能な命令セットを格納する非一時的コンピュータ読取可能記憶媒体であってさせるためのコンピュータプログラムであって、前記命令セットは：
患者生理学的データを受信し；
医療専門家が病室に存在するかどうかを示している指標を受信し；
医療専門家が前記病室に存在する場合、患者モニタリング機器のディスプレイ上に第１表示モードを表示し、前記第１表示モードが前記患者生理学的データを含んでおりと；
医療専門家が前記病室に存在しない場合、前記患者モニタリング機器の前記ディスプレイ上に第２表示モードを表示し、前記第２表示モードは、非専門家の観察者による観察に適合されており、前記第２表示モードは、簡易版患者生理学的データ、患者の容体に関する教育用の表示、ケア提供者のリスト、カレンダ及び写真のうちの１つを含んでおり；
前記患者生理学的データへの対応としてアラートを生成し；
前記患者生理学的データに基づいて前記アラートを高レベルアラート又は低レベルアラートに分類し；
前記アラートが高レベルアラートである場合、前記病室内及びリモートモニタリングロケーションでアラームを生成し；
前記アラートが低レベルアラートである場合、前記リモートモニタリングロケーションで前記アラートを生成し、前記病室内では生成しない；
よう動作可能である、コンピュータ読取可能記憶媒体。
【請求項２】
前記指標を受信することは、医療専門家が身に付けているバッジを検出することと、医療専門家からの入力データを受け取ることのうちの一方を含む、請求項１に記載のコンピュータ読取可能記憶媒体。
【請求項３】
前記指標を受信することは医療専門家が身に付けているバッジを検出することを含み、前記バッジは能動的テクノロジーと受動的テクノロジーとのうちの一方を用いる、請求項２に記載のコンピュータ読取可能記憶媒体読取可能記憶媒体。
【請求項４】
前記患者生理学的データはＥＣＧ、呼吸数、心拍数、酸素飽和度及び血圧のうちの１つを含む、請求項１に記載のコンピュータ読取可能記憶媒体。
【請求項５】
前記命令セットはさらに：
前記患者生理学的データをリモートモニタリングステーションに送信する；
よう動作可能である、請求項１に記載のコンピュータ読取可能記憶媒体。
【請求項６】
前記第２表示モードは、前記簡易版患者生理学的データ、前記患者の容体に関する教育用の表示、前記ケア提供者のリスト、前記カレンダ及び前記写真のうちの複数を含み、前記命令セットはさらに：
前記簡易版患者生理学的データ、前記患者の容体に関する教育用の表示、前記ケア提供者のリスト、前記カレンダ及び前記写真のうち、１つについての選択を受信し；
前記簡易版患者生理学的データ、前記患者の容体に関する教育用の表示、前記ケア提供者のリスト、前記カレンダ及び前記写真のうち、前記の選択された１つを表示する；
よう動作可能である、請求項１に記載のコンピュータ読取可能記憶媒体。
【請求項７】
前記選択は、さらにテレビを制御する操作が可能なリモートコントロールから受信される、請求項６に記載のコンピュータ読取可能記憶媒体。
【請求項８】
前記第２表示モードが表示されるとき、前記ディスプレイを夜間に暗くする、請求項１に記載のコンピュータ読取可能記憶媒体。
【請求項９】
患者生理学的データを検出するセンサと；
医療専門家が病室に存在するかどうかを検出する検出要素と；
ディスプレイと；
を備える機器であって、
医療専門家が前記病室に存在する場合、前記ディスプレイは第１表示モードを表示し、該第１表示モードが前記患者生理学的データを含んでおり、
医療専門家が前記病室に存在しない場合、前記ディスプレイは第２表示モードを表示し、該第２表示モードは、非専門家の観察者による観察に適合されており、前記第２表示モードは、簡易版患者生理学的データ、患者の容体に関する教育用の表示、ケア提供者のリスト、カレンダ及び写真のうちの１つを含み、
プロセッサが、前記患者生理学的データへの対応としてアラートを生成し、前記患者生理学的データに基づいて前記アラートを高レベルアラート又は低レベルアラートに分類し、前記アラートが高レベルアラートであるとき、前記病室内及びリモートモニタリングロケーションでアラームを生成し、前記アラートが低レベルアラートであるとき、前記リモートモニタリングロケーションで前記アラートを生成し、前記病室内では生成しないように構成される、
機器。
【請求項１０】
前記検出要素は、医療専門家が前記病室に存在するかどうかを：
医療専門家が身に付けているバッジを検出することと；
医療専門家からの入力データを受け取ることと；
のうちの一方によって検出する、請求項９に記載の機器。
【請求項１１】
前記検出要素は、医療専門家が前記病室に存在するかどうかを医療専門家が身に付けているバッジを検出することによって検出し、前記バッジは、能動的テクノロジーと受動的テクノロジーとのうちの一方を用いている、請求項１０に記載の機器。
【請求項１２】
前記患者生理学的データはＥＣＧ、呼吸数、心拍数、酸素飽和度及び血圧のうちの１つを含む、請求項９に記載の機器。
【請求項１３】
前記患者生理学的データをリモートモニタリングステーションに送信するデータインタフェース；
をさらに含む、請求項９に記載の機器。
【請求項１４】
前記第２表示モードは、前記簡易版患者生理学的データ、前記患者の容体に関する教育用の表示、前記ケア提供者のリスト、前記カレンダ及び前記写真のうちの複数を含み、当該機器は、前記簡易版患者生理学的データ、前記患者の容体に関する教育用の表示、前記ケア提供者のリスト、前記カレンダ及び前記写真のうち、１つについての選択を受信し、かつ、前記簡易版患者生理学的データ、前記患者の容体に関する教育用の表示、前記ケア提供者のリスト、前記カレンダ及び前記写真のうち、前記の選択された１つを表示する、請求項１０に記載の機器。
【請求項１５】
前記選択は、さらにテレビを制御する操作が可能なリモートコントロールから受信される、請求項１４に記載の機器。
【請求項１６】
前記第２表示モードが表示されるとき、前記ディスプレイを夜間に暗くする、請求項９に記載の機器。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記周発光手段は、前記分割発光手段とは異なる発光態様で発光可能な特定発光部によって複数の発光群に分けられており、
前記分割発光手段の周方向の長さよりも前記周発光部の周方向の長さを長く設定し、
前記皿ユニットの前縁付近には前記皿ユニットを発光装飾する皿ユニット発光手段を設けた
ことを特徴とする遊技機。
【手続補正２】
【補正対象書類名】明細書
【補正対象項目名】０００４
【補正方法】変更
【補正の内容】
【０００４】
また、上記遊技機では遊技領域の前面を閉鎖し開閉可能に支持された扉枠を備えて、扉枠に形成された遊技窓を介して遊技者側から遊技領域が視認できるようになっていると共に、遊技窓の前面外周にＬＥＤ等の発光手段によって発光装飾可能な装飾体が備えられている。
【手続補正３】
【補正対象書類名】明細書
【補正対象項目名】０００５
【補正方法】削除
【補正の内容】
【手続補正４】
【補正対象書類名】明細書
【補正対象項目名】０００７
【補正方法】変更
【補正の内容】
【０００７】
しかしながら、従来の遊技機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、興趣を低下させてしまう虞があった。
【手続補正５】
【補正対象書類名】明細書
【補正対象項目名】０００９
【補正方法】変更
【補正の内容】
【０００９】
手段１：所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記周発光手段は、前記分割発光手段とは異なる発光態様で発光可能な特定発光部によって複数の発光群に分けられており、
前記分割発光手段の周方向の長さよりも前記周発光部の周方向の長さを長く設定し、
前記皿ユニットの前縁付近には前記皿ユニットを発光装飾する皿ユニット発光手段を設けた
ことを特徴とする遊技機。
【手続補正６】
【補正対象書類名】明細書
【補正対象項目名】００１０
【補正方法】変更
【補正の内容】
【００１０】
この発明によれば、遊技興趣の低下を抑制することができる。
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
始動口への遊技球の入賞に基づき変動表示ゲームを実行可能な変動表示部を有する表示装置と、前記変動表示ゲームの制御を行う制御装置と、を備え、
前記変動表示部で実行された前記変動表示ゲームで、所定の特別識別情報が停止表示された場合に、遊技者に有利な特別遊技状態を発生可能な遊技機において、
前記変動表示部において、変動表示中に表示される識別情報には、前記特別識別情報及び前記特別遊技状態が発生しないことを示す非特別識別情報とは異なる変動識別情報を含むようにしたことを特徴とする遊技機。
【手続補正２】
【補正対象書類名】明細書
【補正対象項目名】０００１
【補正方法】変更
【補正の内容】
【０００１】
本発明は、変動表示ゲームを実行可能な変動表示部を有する遊技機に関する。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２００９−０４５３４３号公報
【手続補正６】
【補正対象書類名】明細書
【補正対象項目名】０００６
【補正方法】変更
【補正の内容】
【０００６】
従来の遊技機では、変動表示部で実行される変動表示ゲームの進行を把握し易いものではなかった。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明は、変動表示部で実行される変動表示ゲームの進行を把握し易い遊技機を提供することを目的とする。
【手続補正９】
【補正対象書類名】明細書
【補正対象項目名】０００９
【補正方法】変更
【補正の内容】
【０００９】
本発明の代表的な一形態では、始動口への遊技球の入賞に基づき変動表示ゲームを実行可能な変動表示部を有する表示装置と、前記変動表示ゲームの制御を行う制御装置と、を備え、前記変動表示部で実行された前記変動表示ゲームで、所定の特別識別情報が停止表示された場合に、遊技者に有利な特別遊技状態を発生可能な遊技機において、前記変動表示部において、変動表示中に表示される識別情報には、前記特別識別情報及び前記特別遊技状態が発生しないことを示す非特別識別情報とは異なる変動識別情報を含むようにした。
【手続補正１０】
【補正対象書類名】明細書
【補正対象項目名】００１１
【補正方法】変更
【補正の内容】
【００１１】
本発明の一形態によれば、変動表示部で実行される変動表示ゲームの進行を把握し易い遊技機を提供することができる。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
試合中にプレーヤーの身体周りに着用されるように配設されている装置を備える、ゴルフデータ収集のためのシステムにおいて、
前記装置が、
前記試合中のプレーヤーの様々な所在地を自動的に求める測位システムであって、各所在地にはプレーヤーがその所在地にいる時期も含まれる、測位システムと、
クラブ上のクラブタグがボールの打たれる時期周辺において前記装置の２ｃｍ以内に保持されている場合に限って、そのクラブタグを自動的に読み出すパッシブタグリーダと、
前記プレーヤーの前記所在地と前記クラブタグが読み出された時期とを相関付けて、前記試合の全般を通してボールの打球時所在地及び静止時所在地を求めるプロセッサと、
を含んでいる、システム。
【請求項２】
前記装置は、前記クラブタグから、ゴルフクラブに固有であって当該ゴルフクラブと関連付けられている識別子を読み出すように配設されている、請求項１に記載のシステム。
【請求項３】
前記識別子は、前記クラブタグが関連付けられている前記クラブの種別の標識を含んでいる、請求項２に記載のシステム。
【請求項４】
前記装置は、プレーヤーの腰に着用されるように配設されている、請求項１に記載のシステム。
【請求項５】
前記装置は、専用の携帯型装置、セルフォン、携帯型デジタルアシスタント（ＰＤＡ）、又は携帯型コンピューティングデバイス、の１つを備えている、請求項１に記載のシステム。
【請求項６】
前記クラブタグを含むクラブタグのセットであって、各クラブタグが、ゴルファーのクラブのセット内の各々のゴルフクラブへ固定されるように配設されているクラブタグのセットを更に備えている、請求項１に記載のシステム。
【請求項７】
各クラブタグは、各ゴルフクラブのグリップへ適用されるように配設されている、請求項６に記載のシステム。
【請求項８】
各クラブタグは、パッシブ電子デバイスを備えている、請求項６に記載のシステム。
【請求項９】
各クラブタグは、ゴルフクラブの頂部へ装着されるように配設されているハウジング内に封入されている電子デバイスを備えている、請求項６に記載のシステム。
【請求項１０】
前記装置は、当該装置の電源が入っている間に取得されたデータを遠隔の不揮発性ストレージへ転送するように配設されている通信サブシステムを更に含んでいる、請求項１に記載のシステム。
【請求項１１】
ゴルフの試合のデータは、プレーヤーがプレーした他の同様な試合からのデータと集計されるように配設されている、請求項１０に記載のシステム。
【請求項１２】
前記システムは、プレーヤーについて記憶されているデータにアクセスし、特定の試合に関する又は複数の試合からの傾向に関する関連情報を、見直し又は分析のために抽出するように配設されている分析ソフトウェアを更に備えている、請求項１に記載のシステム。
【請求項１３】
前記抽出される情報には、ホール当たり打数、それぞれのショットの距離、打球毎の使用クラブの種別、又は、特定のゴルフ試合全体のスコア、が含まれる、請求項１２に記載のシステム。
【請求項１４】
前記装置は練習モードで動作でき、前記装置は、ユーザー対話に応えて、前記対話の時期周辺の当該装置の所在地を第１所在地として求め、前記プロセッサは、複数の続いて起こるタグ読み出しについて前記装置の所在地を記録して、前記第１所在地からの複数のショットの各々の軌道を求められるようにする、請求項１に記載のシステム。
【請求項１５】
試合の練習をしているプレーヤーの身体周りに着用されるように配設されている装置を備える、データ収集のためのシステムにおいて、
前記装置が、
前記練習中の前記プレーヤーの所在地を自動的に求める測位システムであって、各所在地にはプレーヤーがその所在地にいる時期も含まれる、測位システムと、
クラブ上のクラブタグが、第１の打球時所在地から前記プレーヤーが打った複数のボールのそれぞれの回収される時期周辺において前記装置の２ｃｍ以内に保持されている場合に限って、そのクラブタグを自動的に読み出すパッシブタグリーダと、
前記プレーヤーの所在地と前記クラブタグが読み出された時期とを相関付けて、前記第１の打球時所在地から打たれた前記ボールの静止時所在地を求めるプロセッサと、
を含んでいる、システム。
【請求項１６】
前記装置は、ユーザー対話に応えて前記対話の時期周辺の前記装置の所在地を前記第１の打球時所在地として求める、請求項１５に記載のシステム。
【請求項１７】
前記プロセッサは、前記ボールの打球時所在地をゴルフコースのコースマップ情報と組み合わせることによって前記ゴルフコースのホールについてのプレーヤーのスコアを求める、請求項１に記載のシステム。
【請求項１８】
前記試合は、ゴルフ、野球、クリケット、サッカー、ハーリング及びラグビーのうちの１つである、請求項１５に記載のシステム。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
演出を行う可動物を備える遊技機であって、
画像を表示する表示面を持つ画像表示部と、
第１状態から演出が進行して第１演出状態に移行可能な第１可動物と、
第２状態から演出が進行して第２演出状態に移行可能な第２可動物と、
第３状態から演出が進行して第３演出状態に移行可能な第３可動物と、
を少なくとも備え、
前記第１可動物が前記第１演出状態の場合に前記第２可動物は前記第２状態にある第１形態と、当該第２可動物が前記第２演出状態の場合に当該第１可動物が前記第１状態にあり前記第３可動物が前記第３状態にある第２形態と、を実現可能であり、
前記画像表示部の前記表示面の前で前記第１可動物が前記第１演出状態になると、当該第１可動物を含む部材により当該表示面の第１所定領域が他の領域と見分けられ、
前記画像表示部の前記表示面の前で前記第１可動物が前記第１演出状態になると共に前記第３可動物が前記第３演出状態になると、当該第１可動物および当該第３可動物を含む部材により前記第１所定領域のほか、当該表示面の他の領域と見分けられる第２所定領域が形成されることを特徴とする遊技機。
【手続補正２】
【補正対象書類名】明細書
【補正対象項目名】０００４
【補正方法】変更
【補正の内容】
【０００４】
ここで、より興趣性の高い動きを可動物が行うようにすることで遊技者が遊技する際に遊技の興趣性を更に高めることが可能になる。
本発明は、可動物の動きにより遊技の興趣性を高めることが可能な遊技機を提供することを目的とする。
【手続補正３】
【補正対象書類名】明細書
【補正対象項目名】０００５
【補正方法】変更
【補正の内容】
【０００５】
本発明が適用される遊技機は、演出を行う可動物を備える遊技機（例えばパチンコ遊技機１００）であって、画像を表示する表示面（例えば表示面１１４ａ）を持つ画像表示部（例えば画像表示部１１４）と、第１状態から演出が進行して第１演出状態に移行可能な第１可動物(例えば下アゴ演出体６)と、第２状態から演出が進行して第２演出状態に移行可能な第２可動物（例えば上アゴ演出体４）と、第３状態から演出が進行して第３演出状態に移行可能な第３可動物(例えば頬演出体７)と、を少なくとも備え、前記第１可動物(例えば下アゴ演出体６)が前記第１演出状態の場合に前記第２可動物（例えば上アゴ演出体４）は前記第２状態にある第１形態(例えば図３５(ｂ))と、当該第２可動物（例えば上アゴ演出体４）が前記第２演出状態の場合に当該第１可動物(例えば下アゴ演出体６)が前記第１状態にあり前記第３可動物(例えば頬演出体７)が前記第３状態にある第２形態と、を実現可能であり(例えば図３５(ｄ))、前記画像表示部（例えば画像表示部１１４）の前記表示面（例えば表示面１１４ａ）の前で前記第１可動物(例えば下アゴ演出体６)が前記第１演出状態になると、当該第１可動物(例えば下アゴ演出体６)を含む部材により当該表示面（例えば表示面１１４ａ）の第１所定領域（例えば領域１１４ｄ）が他の領域と見分けられ、前記画像表示部（例えば画像表示部１１４）の前記表示面（例えば表示面１１４ａ）の前で前記第１可動物(例えば下アゴ演出体６)が前記第１演出状態になると共に前記第３可動物(例えば頬演出体７)が前記第３演出状態になると、当該第１可動物(例えば下アゴ演出体６)および当該第３可動物(例えば頬演出体７)を含む部材により前記第１所定領域のほか、当該表示面（例えば表示面１１４ａ）の他の領域と見分けられる第２所定領域（例えば領域１１４ｅ、１１４ｄ）が形成されることを特徴とするものである。
【手続補正４】
【補正対象書類名】明細書
【補正対象項目名】０００７
【補正方法】変更
【補正の内容】
【０００７】
本発明によれば、可動物の動きにより遊技の興趣性を高めることが可能になる。